(57)【要約】【課題】ＳＥＥＲ及びＳＣＯＰの評価における作業者の負担や時間を低減することを目的とする。【解決手段】入力部から室外機に接続されている接続室内機の識別情報が入力されると（ステップＳＡ１）、各接続室内機の熱交換器に関する特性値が第１情報から取得され（ステップＳＡ２）、この特性値を積算することで、積算特性値が算出される（ステップＳＡ３）。続いて、積算特性値に対応するシステム成績係数が第２情報から取得され（ステップＳＡ４）、このシステム成績係数に対応するＳＥＥＲ及びＳＣＯＰが第３情報、第４情報からそれぞれ取得される（ステップＳＡ５、６）。このようにして取得されたＳＥＥＲ及びＳＣＯＰは、表示画面等に表示され、ユーザに提示される（ステップＳＡ７）。【選択図】図７
2015117887.tif 000002
【特許請求の範囲】
【請求項１】
室外機に接続されている接続室内機を特定する識別情報を入力するための入力手段と、
前記室外機に接続可能な室内機の識別情報と該室内機の熱交換器に関する特性値とが関連付けられた第１情報と、
各前記接続室内機に対応する前記特性値を第１情報から取得し、取得した前記特性値を積算して積算特性値を算出する積算手段と、
積算特性値とシステム成績係数とが関連付けられた第２情報と、
前記積算手段によって算出された前記積算特性値に対応するシステム成績係数を前記第２情報から取得するシステム成績係数取得手段と、
システム成績係数と期間エネルギー効率とが関連付けられた第３情報と、
前記システム成績係数取得手段によって取得された前記システム成績係数に対応する期間エネルギー効率を前記第３情報から取得する期間エネルギー効率取得手段と
を具備する空調システムの評価支援装置。
【請求項２】
室外機に接続されている接続室内機を特定する識別情報を入力するための入力手段と、
前記室外機に接続可能な室内機の識別情報と該室内機の熱交換器に関する特性値とが関連付けられた第１情報と、
各前記接続室内機に対応する前記特性値を第１情報から取得し、取得した前記特性値を積算して積算特性値を算出する積算手段と、
積算特性値とシステム成績係数とが関連付けられた第２情報と、
前記積算手段によって算出された前記積算特性値に対応するシステム成績係数を前記第２情報から取得するシステム成績係数取得手段と、
システム成績係数と期間成績係数とが関連付けられた第４情報と、
前記システム成績係数取得手段によって取得された前記システム成績係数に対応する期間成績係数を前記第４情報から取得する期間成績係数取得手段と
を具備する空調システムの評価支援装置。
【請求項３】
前記第１情報における前記特性値は、前記室内機の容量に応じた冷媒循環量または圧縮機周波数を想定して設定されている請求項１または請求項２に記載の空調システムの評価支援装置。
【請求項４】
前記接続室内機の合計容量と第１補正値とが関連付けられた第５情報と、
各前記接続室内機の合計容量に対応する第１補正値を前記第５情報から取得し、取得した第１補正値を用いて前記積算特性値を補正する第１補正手段と
を備え、
前記システム成績係数取得手段は、補正後の前記積算特性値に対応するシステム成績係数を前記第２情報から取得する請求項３に記載の空調システムの評価支援装置。
【請求項５】
前記第１補正値は、前記接続室内機の合計容量が前記室外機の定格能力における室内機容量と一致している場合に１に設定され、前記接続室内機の合計容量が大きくなるほど小さい値に設定される請求項４に記載の空調システムの評価支援装置。
【請求項６】
前記第２情報は、冷房運転の場合のものと暖房運転の場合のものとそれぞれ設けられている請求項１から請求項５のいずれかに記載の空調システムの評価支援装置。
【請求項７】
前記特性値は、熱交換器の有効度であり、
前記第２情報に代えて、積算特性値と室内熱交換量とが関連付けられた第６情報と、
積算特性値とインバータ及び圧縮機の消費電力の和とが関連付けられた第７情報と
を有し、
前記システム成績係数取得手段は、前記積算特性値に対応する室内熱交換量及び前記インバータ及び圧縮機の消費電力の和を前記第６情報及び前記第７情報からそれぞれ取得し、取得した前記室内熱交換量及び前記インバータ及び圧縮機の消費電力の和、室内ファンモータの入力、及び室内外ファンモータの消費電力を予め設定されている所定の演算式に用いることにより、システム成績係数を算出する請求項１から請求項６のいずれかに記載の空調システムの評価支援装置。
【請求項８】
待機電力と第２補正値とが関連付けられた第８情報と、
前記接続室内機の待機電力に対応する第２補正値を前記第８情報から取得し、前記第２補正値を用いて前記期間エネルギー効率取得手段によって取得された期間エネルギー効率を補正する第２補正手段と
を具備する請求項１または請求項１に従属する請求項３から請求項７のいずれかに記載の空調システムの評価支援装置。
【請求項９】
室外機に接続されている接続室内機を特定するための識別情報を取得する第１工程と、
前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２工程と、
積算特性値とシステム成績係数とが関連付けられた第２情報から、前記第２工程で算出した前記積算特性値に対応するシステム成績係数を取得する第３工程と、
システム成績係数と期間エネルギー効率とが関連付けられた第３情報から、前記第３工程で取得した前記システム成績係数に対応する期間エネルギー効率を取得する第４工程と
を有する空調システムの評価支援方法。
【請求項１０】
室外機に接続されている接続室内機を特定するための識別情報を取得する第１工程と、
前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２工程と、
積算特性値とシステム成績係数とが関連付けられた第２情報から、前記第２工程で算出した前記積算特性値に対応するシステム成績係数を取得する第３工程と、
システム成績係数と期間成績係数とが関連付けられた第４情報から、前記第３工程で取得したシステム成績係数に対応する期間成績係数を取得する第５工程と
を有する空調システムの評価支援方法。
【請求項１１】
室外機に接続されている接続室内機を特定するための識別情報を取得する第１処理と、
前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２処理と、
積算特性値とシステム成績係数とが関連付けられた第２情報から、前記第２処理で算出した前記積算特性値に対応するシステム成績係数を取得する第３処理と、
システム成績係数と期間エネルギー効率とが関連付けられた第３情報から、前記第３処理で取得した前記システム成績係数に対応する期間エネルギー効率を取得する第４処理と
をコンピュータに実行させるための空調システムの評価支援プログラム。
【請求項１２】
室外機に接続されている接続室内機を特定するための識別情報を取得する第１処理と、
前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２処理と、
積算特性値とシステム成績係数とが関連付けられた第２情報から、前記第２処理で算出した前記積算特性値に対応するシステム成績係数を取得する第３処理と、
システム成績係数と期間成績係数とが関連付けられた第４情報から、前記第３処理で取得したシステム成績係数に対応する期間成績係数を取得する第５処理と
をコンピュータに実行させるための空調システムの評価支援プログラム。
【発明の詳細な説明】
【技術分野】
【０００１】
本発明は、空調システムの評価支援装置及び方法並びにプログラムに係り、特に、省エネルギーに関する評価を行う空調システムの評価支援装置及び方法並びにプログラムに関するものである。
【背景技術】
【０００２】
従来、日本においては、空調システムの省エネルギー評価基準の一つとして、エネルギー消費効率（ＡＰＦ）が用いられ、この評価値を算出するためのシステムが提案されている（例えば、特許文献１参照）。
また、欧州では、省エネルギー評価基準として、従来用いられていたＥＥＲ（エネルギー効率：Ｅｎｅｒｇｙ  Ｅｆｆｉｃｉｅｎｃｙ  Ｒａｔｉｏ）やＣＯＰ（成績係数：Ｃｏｅｆｆｉｃｉｅｎｔ  ｏｆ  ＰｅｒｆｏｒｍａｎｃｅＣＯＰ）に代えて、ＳＥＥＲ（期間エネルギー効率：Ｓｅａｓｏｎａｌ  Ｅｎｅｒｇｙ  Ｅｆｆｉｃｉｅｎｃｙ  Ｒａｔｉｏ）やＳＣＯＰ（期間成績係数：Ｓｅａｓｏｎａｌ  Ｃｏｅｆｆｉｃｉｅｎｔ  ｏｆ  Ｐｅｒｆｏｒｍａｎｃｅ）が用いられるようになった。
【先行技術文献】
【特許文献】
【０００３】
【特許文献１】特開平９−７９６５０号公報
【発明の概要】
【発明が解決しようとする課題】
【０００４】
ところで、室外機への室内機の接続パターンはさまざまであり、また、近年では、共通の室外機に対して異なるタイプ（例えば、天井カセットタイプや壁かけタイプ等）の複数の室内機が接続されることも増えてきた。このような異なるタイプの室内機が接続されている場合には、ＳＥＥＲやＳＣＯＰの計算がより複雑となり、作業者の負担が増大する。
【０００５】
本発明は、このような事情に鑑みてなされたものであって、ＳＥＥＲ及びＳＣＯＰの評価における作業者の負担や時間を低減することのできる空調システムの評価支援装置及び方法並びにプログラムを提供することを目的とする。
【課題を解決するための手段】
【０００６】
本発明の第１態様は、室外機に接続されている接続室内機を特定する識別情報を入力するための入力手段と、前記室外機に接続可能な室内機の識別情報と該室内機の熱交換器に関する特性値とが関連付けられた第１情報と、各前記接続室内機に対応する前記特性値を第１情報から取得し、取得した前記特性値を積算して積算特性値を算出する積算手段と、積算特性値とシステム成績係数とが関連付けられた第２情報と、前記積算手段によって算出された前記積算特性値に対応するシステム成績係数を前記第２情報から取得するシステム成績係数取得手段と、システム成績係数と期間エネルギー効率とが関連付けられた第３情報と、前記システム成績係数取得手段によって取得された前記システム成績係数に対応する期間エネルギー効率を前記第３情報から取得する期間エネルギー効率取得手段とを具備する空調システムの評価支援装置である。
【０００７】
上記態様によれば、入力手段から室外機に接続されている接続室内機の識別情報が入力されると、各接続室内機の熱交換器に関する特性値が第１情報から取得され、取得した特性値を積算することで、積算特性値が算出される。続いて、積算特性値に対応するシステム成績係数が第２情報から取得され、このシステム成績係数に対応する期間エネルギー効率が第３情報から取得される。このようにして取得された期間エネルギー効率（ＳＥＥＲ）は、例えば、表示画面等の出力手段に出力され、ユーザに提示される。
このように、本態様によれば、室外機に接続されている室内機を特定する識別情報を入力するという簡易な作業により、期間エネルギー効率を得ることができる。これにより、ユーザの労力や時間を削減することが可能となる。
【０００８】
本発明の第２態様は、室外機に接続されている接続室内機を特定する識別情報を入力するための入力手段と、前記室外機に接続可能な室内機の識別情報と該室内機の熱交換器に関する特性値とが関連付けられた第１情報と、各前記接続室内機に対応する前記特性値を第１情報から取得し、取得した前記特性値を積算して積算特性値を算出する積算手段と、積算特性値とシステム成績係数とが関連付けられた第２情報と、前記積算手段によって算出された前記積算特性値に対応するシステム成績係数を前記第２情報から取得するシステム成績係数取得手段と、システム成績係数と期間成績係数とが関連付けられた第４情報と、前記システム成績係数取得手段によって取得された前記システム成績係数に対応する期間成績係数を前記第４情報から取得する期間成績係数取得手段とを具備する空調システムの評価支援装置である。
【０００９】
上記態様によれば、入力手段から室外機に接続されている接続室内機の識別情報が入力されると、各接続室内機の熱交換器に関する特性値が第１情報から取得され、取得した特性値を積算することで、積算特性値が算出される。続いて、積算特性値に対応するシステム成績係数が第２情報から取得され、このシステム成績係数に対応する期間成績係数が第４情報から取得される。このようにして取得された期間成績係数（ＳＣＯＰ）は、例えば、表示画面等の出力手段に出力され、ユーザに提示される。
このように、本態様によれば、室外機に接続されている室内機を特定する識別情報を入力するという簡易な作業により、期間成績係数を得ることができる。これにより、ユーザの労力や時間を削減することが可能となる。
【００１０】
上記空調システムの評価支援装置において、前記第１情報における前記特性値は、前記室内機の容量に応じた冷媒循環量または圧縮機周波数を想定して設定されていてもよい。これにより、冷媒循環量または圧縮機周波数を考慮した特性値とすることができる。
【００１１】
上記空調システムの評価支援装置は、前記接続室内機の合計容量と第１補正値とが関連付けられた第５情報と、各前記接続室内機の合計容量に対応する第１補正値を前記第５情報から取得し、取得した第１補正値を用いて前記積算特性値を補正する第１補正手段とを備え、前記システム成績係数取得手段は、補正後の前記積算特性値に対応するシステム成績係数を前記第２情報から取得することとしてもよい。
【００１２】
このような構成によれば、接続室内機の合計容量に応じた第１補正値が取得され、取得した第１補正値によって積算特性値が補正される。これにより、接続室内機の合計容量を考慮した積算特性値を得ることが可能となる。したがって、積算特性値の算出精度を向上させることができ、ひいては期間エネルギー効率、期間成績係数の算出精度を高めることが可能となる。
例えば、前記第１補正値は、前記接続室内機の合計容量が前記室外機の定格能力における室内機容量と一致している場合に１に設定され、前記接続室内機の合計容量が大きくなるほど小さい値に設定される。
【００１３】
上記空調システムの評価支援装置において、前記第２情報は、冷房運転の場合のものと暖房運転の場合のものとそれぞれ設けられていてもよい。冷房運転及び暖房運転の両方の情報を保有しておくことで、適切なシステム成績係数を用いて、期間エネルギー効率、期間成績係数を得ることが可能となる。
【００１４】
上記空調システムの評価支援装置において、前記特性値は、熱交換器の有効度である場合に、該評価支援装置は、前記第２情報に代えて、積算特性値と室内熱交換量とが関連付けられた第６情報と、積算特性値とインバータ及び圧縮機の消費電力の和とが関連付けられた第７情報とを有し、前記システム成績係数取得手段は、前記積算特性値に対応する室内熱交換量及び前記インバータ及び圧縮機の消費電力の和を前記第６情報及び前記第７情報からそれぞれ取得し、取得した前記室内熱交換量及び前記インバータ及び圧縮機の消費電力の和、室内ファンモータの入力、及び室内外ファンモータの消費電力を予め設定されている所定の演算式に用いることにより、システム成績係数を算出することとしてもよい。
【００１５】
上記空調システムの評価支援装置は、待機電力と第２補正値とが関連付けられた第８情報と、前記接続室内機の待機電力に対応する第２補正値を前記第８情報から取得し、前記第２補正値を用いて前記期間エネルギー効率取得手段によって取得された期間エネルギー効率を補正する第２補正手段とを更に備えていてもよい。
このように、待機電力に関する第２補正値を用いて期間エネルギー効率を補正するので、待機電力も考慮した期間エネルギー効率を算出することが可能となる。
【００１６】
本発明の第３態様は、室外機に接続されている接続室内機を特定するための識別情報を取得する第１工程と、前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２工程と、積算特性値とシステム成績係数とが関連付けられた第２情報から、前記第２工程で算出した前記積算特性値に対応するシステム成績係数を取得する第３工程と、システム成績係数と期間エネルギー効率とが関連付けられた第３情報から、前記第３工程で取得した前記システム成績係数に対応する期間エネルギー効率を取得する第４工程とを有する空調システムの評価支援方法である。
【００１７】
本発明の第４態様は、室外機に接続されている接続室内機を特定するための識別情報を取得する第１工程と、前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２工程と、積算特性値とシステム成績係数とが関連付けられた第２情報から、前記第２工程で算出した前記積算特性値に対応するシステム成績係数を取得する第３工程と、システム成績係数と期間成績係数とが関連付けられた第４情報から、前記第３工程で取得したシステム成績係数に対応する期間成績係数を取得する第５工程とを有する空調システムの評価支援方法である。
【００１８】
本発明の第５態様は、室外機に接続されている接続室内機を特定するための識別情報を取得する第１処理と、前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２処理と、積算特性値とシステム成績係数とが関連付けられた第２情報から、前記第２処理で算出した前記積算特性値に対応するシステム成績係数を取得する第３処理と、システム成績係数と期間エネルギー効率とが関連付けられた第３情報から、前記第３処理で取得した前記システム成績係数に対応する期間エネルギー効率を取得する第４処理とをコンピュータに実行させるための空調システムの評価支援プログラムである。
【００１９】
本発明の第６態様は、室外機に接続されている接続室内機を特定するための識別情報を取得する第１処理と、前記室外機に接続可能な室内機の識別情報と該室内機の熱交換器に関する特性値とが関連付けられた第１情報から、各前記接続室内機に対応する前記特性値を取得し、取得した各前記特性値を積算して積算特性値を算出する第２処理と、積算特性値とシステム成績係数とが関連付けられた第２情報から、前記第２処理で算出した前記積算特性値に対応するシステム成績係数を取得する第３処理と、システム成績係数と期間成績係数とが関連付けられた第４情報から、前記第３処理で取得したシステム成績係数に対応する期間成績係数を取得する第５処理とをコンピュータに実行させるための空調システムの評価支援プログラムである。
【発明の効果】
【００２０】
本発明によれば、省エネルギー評価基準の一つであるＳＥＥＲ及びＳＣＯＰの評価におけるユーザの労力及び作業時間の低減を図ることができるという効果を奏する。
【図面の簡単な説明】
【００２１】
【図１】本発明の第１実施形態に係る空調システムの評価支援装置について説明するための図である。
【図２】本発明の第１実施形態に係る評価支援装置のハードウェア構成の一例を示したブロック図である。
【図３】本発明の第１実施形態に係る評価支援装置が備える機能を展開して示した機能ブロック図である。
【図４】近似曲線を用いた場合の暖房時における第２情報の一例を示した図である。
【図５】第３情報の一例を示した図である。
【図６】第４情報の一例を示した図である。
【図７】本発明の第１実施形態に係る評価支援装置により実行される処理の手順について説明するためのフローチャートである。
【図８】本発明の第２実施形態に係る評価支援装置が備える機能を展開して示した機能ブロック図である。
【図９】接続室内機の合計容量と積算特性値との関係を示した図である。
【図１０】第５情報の一例を示した図である。
【図１１】積算特性値と室内熱交換量との関係を示した図である。
【図１２】積算特性値と機器消費電力との関係を示した図である。
【図１３】本発明の第４実施形態に係る評価支援装置が備える機能を展開して示した機能ブロック図である。
【図１４】第８情報の一例を示した図である。
【発明を実施するための形態】
【００２２】
〔第１実施形態〕
以下に、本発明の第１実施形態に係る空調システムの評価支援装置及び方法並びにプログラムについて、図面を参照して説明する。
図１は、本実施形態に係る空調システムの評価支援装置（以下「評価支援装置」という。）について説明するための図である。評価支援装置１０ａは、１台の室外機２と、該室外機２に接続される複数の室内機５（以下、室外機２に接続される室内機を「接続室内機５」として、他の室内機と区別する。）を備える空調システム１の省エネルギーに関する評価値であるＳＥＥＲ及びＳＣＯＰを算出するものである。
以下の説明では、便宜上、評価支援装置１０ａと評価対象である空調システム１の室外機２とは、１対１で対応している場合を想定して説明するが、さまざまな室外機に対して以下に示す機能をそれぞれ用意することにより、汎用性を持たせることが可能である。
【００２３】
図２は、本実施形態に係る評価支援装置１０ａのハードウェア構成の一例を示したブロック図である。図２に示すように、評価支援装置１０ａは、例えば、ＣＰＵ（Ｃｅｎｔｒａｌ  Ｐｒｏｃｅｓｓｉｎｇ  Ｕｎｉｔ）１１と、ＣＰＵ１１が実行するプログラム等を記憶するためのＲＯＭ（Ｒｅａｄ  Ｏｎｌｙ  Ｍｅｍｏｒｙ）１２と、各プログラム実行時のワーク領域として機能するＲＡＭ（Ｒａｎｄｏｍ  Ａｃｃｅｓｓ  Ｍｅｍｏｒｙ）１３と、大容量記憶装置としてのハードディスクドライブ（ＨＤＤ）１４と、ネットワークに接続するための通信インターフェース１５と、外部記憶装置１６が装着されるアクセス部１７と、キーボードやマウス等からなる入力部１８と、情報をユーザに提供する液晶表示装置等の出力部１９を備えている。これら各部は、バス２０を介して接続されている。
【００２４】
上記ＲＯＭ１２には、各種プログラム（例えば、評価支援プログラム）が格納されており、ＣＰＵ１１がＲＯＭ１２からＲＡＭ１３にプログラムを読み出し、実行することにより種々の処理を実現させる。
なお、ＣＰＵ１１が実行するプログラム等を記憶するための記憶媒体は、ＲＯＭ１２に限られない。例えば、磁気ディスク、光磁気ディスク、半導体メモリ等の他の補助記憶装置であってもよい。
【００２５】
評価支援装置１０ａは、例えば、空調システムとは独立したシステムとして存在していてもよいし、空調システムに関連する装置（例えば、中央制御装置等）が備える機能の一部として、装置内に設けられていてもよい。
また、評価支援装置１０は、例えば、空調システムの製造元に設置され、製造元における作業員によって操作されるものとしてもよく、あるいは、空調システムの所有者側に設置され、所有者側の作業員によって操作されるものでもよい。また、所有者側の端末と製造元に設置された評価支援装置１０とをネットワークで接続することにより、所有者側の端末から入力された入力情報に基づいて、評価支援装置１０においてＳＥＥＲ及びＳＣＯＰが算出され、算出結果が所有者側の端末に表示されるような態様としてもよい。このように、空調システムの使用態様については特に限定されない。
【００２６】
図３は、評価支援装置１０ａが備える機能を展開して示した機能ブロック図である。図３に示されるように、評価支援装置１０ａは、入力部２１、記憶部２２、積算部２３、システム成績係数取得部（以下「システムＣＯＰ取得部」という。）２４、期間エネルギー効率取得部（以下「ＳＥＥＲ取得部」という。）２５、及び期間成績係数取得部（以下「ＳＣＯＰ取得部」という。）２６、出力部２７を備えている。
【００２７】
入力部２１は、評価対象となる空調システム１の室外機２に接続された接続室内機５を特定するための識別情報を入力するためのものである。識別情報は、少なくとも室内機タイプ（壁掛け、天井カセット、ダクト付等）及び室内機容量を含んでいる。
室内機の識別情報の入力態様としては、表示画面にプルダウン方式で、当該空調システムの室外機に接続可能な全ての室内機タイプ及び室内容量が選択可能に表示されるようにし、ユーザがこれらの中から該当するタイプ及び室内機容量を選択して確定操作を行うことが一例として挙げられる。識別情報の入力態様については、接続室内機５のタイプ及び容量が入力できるものであればよく、その具体的方法については特に限定されない。
【００２８】
記憶部２２には、室外機２に接続可能な各室内機の識別情報と該室内機の熱交換器に関する特性値とが関連付けられた第１情報、積算特性値とシステム成績係数（システムＣＯＰ）とが関連付けられた第２情報、システムＣＯＰとＳＥＥＲとが関連付けられた第３情報、システムＣＯＰとＳＣＯＰとが関連付けられた第４情報等が格納されている。
記憶部２２に格納されているこれら情報は、通信媒体（例えば、インターネット等）を介して所定のサーバからダウンロードすることにより、取得されるものでもよい。
第１情報〜第４情報については、順次説明する。
【００２９】
まず、第１情報について詳しく説明する。
第１情報における各室内機の熱交換器に関する特性値Ｃは、熱交換器の有効度であり、例えば、以下の（１）式に示すように、熱容量流量Ｃｍｉｎ、熱交換有効率εを主なパラメータとする演算式により算出される。熱交換有効率εは、（２）式に示すように、冷媒循環量Ｆを主なパラメータとする演算式により算出される。
【００３０】
Ｃ＝ｆ（Ｃｍｉｎ，ε）      （１）
ε＝ｆ（Ｆ）                （２）
【００３１】
ここで、冷媒循環量Ｆは、室内機容量に応じて変化する。例えば、容量２８［ｋＷ］の室内機の場合、室外機の定格負荷における室内機最大容量が１１２［ｋＷ］とすると、冷媒循環量Ｆ（２８）は、以下の（３）式を用いて算出される。
【００３２】
Ｆ（２８）＝Ｆｔｏｌ×（２８／１１２）      （３）
【００３３】
（３）式において、Ｆｔｏｌは、定格負荷時の合計循環量であり、室外機固有の値である。また、上記室内機最大容量１１２［ｋＷ］についても室外機固有の値である。なお、上記（３）式において、定格負荷時の合計循環量Ｆｔｏｌに代えて定格負荷時の圧縮機周波数［Ｈｚ］を用いれば、当該室内機容量に応じた圧縮機周波数を得ることができる。
【００３４】
このようにして、室外機２に接続可能な各室内機について室内機容量に応じた冷媒循環量を考慮した特性値Ｃをそれぞれ算出し、算出した特性値Ｃを各室内機の識別情報（室内機タイプと容量の組み合わせ）と関連付けることにより第１情報が作成される。
【００３５】
積算部２３は、入力部２１から入力された接続室内機５の識別情報に関連付けられている特性値Ｃを第１情報からそれぞれ取得し、取得した特性値Ｃを積算することにより、積算特性値ΣＣを算出する。
【００３６】
例えば、壁掛けタイプの容量２８［ｋＷ］の室内機が２台と、天井カセットタイプの容量５６［ｋＷ］の室内機が２台接続された場合、積算特性値ΣＣは以下の通りとなる。
【００３７】
ΣＣ＝２×Ｃ（２８）＋２×Ｃ（５６）      （４）
【００３８】
上記（４）式において、Ｃ（２８）は壁掛けタイプの容量２８［ｋＷ］の室内機の熱交換器の有効度、Ｃ（５６）は天井カセットタイプの容量５６［ｋＷ］の室内機の熱交換器の有効度である。
【００３９】
次に、第２情報について説明する。
例えば、室外機２に接続される室内機の組み合わせパターンは、複数存在する。例えば、容量５６［ｋＷ］の壁掛けタイプの室内機を２台接続するパターン、容量５６［ｋＷ］の天井カセットタイプの室内機を２台接続するパターン、容量２８［ｋＷ］の天井カセットタイプの室内機を４台接続するパターン、容量２８［ｋＷ］の壁掛けタイプの室内機を２台及び容量５６［ｋＷ］の壁掛けタイプの室内機を２台接続するパターン等である。
【００４０】
そこで、事前に、室内機の接続パターンの各々について、システムＣＯＰを演算し、これらシステムＣＯＰと積算特性値ΣＣとを関連づけることで第２情報を作成する。ここで、第２情報は、室内機の接続パターン毎に対応してそれぞれ設けられていてもよいし、接続パターン間でシステムＣＯＰ特性が似通っていた場合には、それらの特性の近似曲線を求めることで接続パターン毎のシステムＣＯＰ特性を１つに統合することとしてもよい。また、システムＣＯＰは、冷房時と暖房時とで値が変わるため、冷房時と暖房時の両方について第２情報が用意されていてもよい。図４に、近似曲線を用いた場合の暖房時における第２情報の一例を示す。
【００４１】
システムＣＯＰ取得部２４は、記憶部２２に格納されている第２情報から積算部２３によって算出された積算特性値ΣＣに対応するシステムＣＯＰを取得する。このとき、冷房に対応する第２情報と、暖房に対応する第２情報とが記憶部２２に格納されていた場合には、暖房・冷房のそれぞれの第２情報からシステムＣＯＰをそれぞれ取得するとよい。
【００４２】
次に、第３情報及び第４情報について説明する。
室外機２に接続可能な室内機の各接続パターンについて事前に試験やシミュレーションを行うことで、システムＣＯＰとＳＥＥＲとの関係を求め、これらの近似曲線を得ることで、第３情報を得る。図５に第３情報の一例を示す。図５において、横軸はシステムＣＯＰ、縦軸はＳＥＥＲである。
同様に、接続パターン毎に、システムＣＯＰとＳＣＯＰとの関係を求め、これらの近似曲線を得ることで第４情報を得る。図６に第４情報の一例を示す。図６において、横軸はシステムＣＯＰ、縦軸はＳＣＯＰである。
【００４３】
ここで、ＳＥＥＲ、ＳＣＯＰに関連付けられるシステムＣＯＰについては、冷房時のものであってもよいし、暖房時のものであってもよい。例えば、上述したシステムＣＯＰ取得部において得られるシステムＣＯＰに合わせて、第３情報、第４情報が用意されていればよい。また、システムＣＯＰ取得部２４によって、冷房時のシステムＣＯＰと、暖房時のシステムＣＯＰとの両方が得られる場合には、例えば、ＳＥＥＲについては冷房時のシステムＣＯＰと関連付けられた第３情報を用意し、ＳＣＯＰについては暖房時のシステムＣＯＰと関連付けられた第４情報を用意することとしてもよい。
【００４４】
ＳＥＥＲ取得部２５は、システムＣＯＰ取得部２４によって取得されたシステムＣＯＰに対応するＳＥＥＲを第３情報から取得する。
ＳＣＯＰ取得部２６は、システムＣＯＰ取得部２４によって取得されたシステムＣＯＰに対応するＳＣＯＰを第４情報から取得する。
出力部２７は、例えば、表示装置であり、ＳＥＥＲ取得部２５によって取得されたＥＥＳＲと、ＳＣＯＰ取得部２６によって取得されたＳＣＯＰとを表示画面に表示することによりユーザに提示する。
【００４５】
次に、上記構成を備える評価支援装置１０ａにおける処理手順について、図７を参照して説明する。
まず、ユーザによって入力部２１が操作されることにより、当該室外機２に接続されている接続室内機５の識別情報として、室内機タイプ及び室内機容量が順次入力される。入力部２１により入力された接続室内機５の識別情報を取得すると（ステップＳＡ１）、各接続室内機５の特性値Ｃを第１情報から取得し（ステップＳＡ２）、取得した特性値Ｃを積算することで、積算特性値ΣＣを算出する（ステップＳＡ３）。次に、積算特性値ΣＣに対応するシステムＣＯＰを第２情報から取得する（ステップＳＡ４）。続いて、システムＣＯＰに対応するＳＥＥＲを第３情報から取得し（ステップＳＡ５）、システムＣＯＰに対応するＳＣＯＰを第４情報から取得する（ステップＳＡ６）。このようにして取得されたＥＥＳＲ及びＳＣＯＰは、出力部２７に表示されるなどして、ユーザに提示される（ステップＳＡ７）。
【００４６】
以上説明したように、本実施形態に係る空調システムの評価支援装置及び方法並びにプログラムによれば、室外機２に接続されている接続室内機５を特定する識別情報を入力するという簡易な作業により、ＳＥＥＲやＳＣＯＰを得ることができる。これにより、ユーザの労力や時間を削減することが可能となる。
ここで、本実施形態においては、特性値Ｃとして熱交換器の有効度を用いたが、これに代えて、熱交換能力を用いることとしてもよい。熱交換能力は、以下の（５）式で表される。
【００４７】
熱交換能力＝熱交換器の有効度×（熱交換器温度−吸入空気温度）      （５）
【００４８】
〔第２実施形態〕
上述した第１実施形態に係る第１情報に設定されている特性値Ｃ、すなわち、熱交換器の有効度は、室外機２の定格負荷（負荷１００％）における室内機最大容量に対する室内機容量の比率に基づき冷媒循環量Ｆを算出し、この冷媒循環量Ｆを考慮して算出されたものであった。
しかし、室外機２には、定格負荷を超える室内機容量（例えば、上記の場合１１２［ｋＷ］を超える室内機容量）あるいは定格に満たない室内機容量（例えば、上記の場合１１２［ｋＷ］未満の室内機容量）の室内機が接続されることもある。
【００４９】
このように、室外機２に接続されている室内機容量の和が、室外機２の定格に対応する室内機最大容量（例えば、第１実施形態の例では１１２［ｋＷ］）以外の容量とされていた場合には、上述した第１情報から得られる積算特性値ΣＣには容量変化による誤差が含まれてしまうこととなる。
【００５０】
したがって、本実施形態では、このような接続室内機の合計室内機容量の違いによる積算特性値の誤差を低減するため、図３に示した第１実施形態に係る評価支援装置に対して、図８に示すように、積算特性値ΣＣの補正値である第１補正値と接続室内機５の合計容量とが関連付けられている第５情報（図示略）及び積算部２３によって得られた積算特性値ΣＣを補正する第１補正部２８を更に備えている。図８は、本実施形態に係る評価支援装置１０ｂが備える機能を展開して示した機能ブロック図である。以下、本実施形態に係る評価支援装置１０ｂの特徴部分である第５情報及び第１補正部２８について主に説明する。なお、第５情報については、記憶部２２に格納されて、第１補正部２８により参照される。
【００５１】
まず、第５情報について説明する。
室外機２に接続される室内機の各接続パターンにおいて、室内機容量に応じた冷媒循環量を考慮した場合の積算特性値（熱交換器の有効度の積算値）と、室内機容量に依存せずに一定の冷媒循環量（例えば、室外機２が定格能力を発揮している場合の冷媒循環量、換言すると、定格負荷時の圧縮機周波数）とした場合の積算特性値（熱交換器の有効度の積算値）とをそれぞれ求め、室外機２に接続される室内機の合計熱容量と積算特性値との関係を取得する。
【００５２】
図９に、接続室内機５の合計容量と積算特性値ΣＣとの関係を示す。図９において、横軸は、接続室内機の合計容量が、室外機能力１００［％］のときの室内機最大容量１１２［ｋＷ］を基準とした割合で示されている。すなわち、室外機２に接続されている室内機の合計容量が１１２［ｋＷ］のときに、１００［％］となる。縦軸は、積算特性値ΣＣである。図９において、実線は容量に応じた冷媒循環量を想定した場合（換言すると、容量に応じた圧縮機周波数を想定した場合）の各接続パターンにおける特性を近似して求めた近似曲線（以下「近似曲線Ａ」という）であり、破線は冷媒循環量を一定とした場合（換言すると、圧縮機周波数を一定とした場合）の各接続パターンにおける特性を近似して求めた近似曲線（以下「近似曲線Ｂ」という）である。
【００５３】
図９からわかるように、接続室内機５の合計容量が１００［％］を超える範囲では、合計容量が増加するにつれて両者の特性が乖離していることがわかる。図９から接続室内機の合計容量に対する第１補正値を求める。具体的には、近似曲線Ｂを近似曲線Ａで除算することにより第１補正値の特性を得る。図１０に、接続室内機の合計容量と第１補正値とを関連付けた第５情報の一例を示す。図１０において、横軸は室内機合計容量であり、縦軸は第１補正値である。
【００５４】
第１補正部２８は、室外機２に接続されている接続室内機５の合計容量に対応する第１補正値を第５情報から取得し、積算部２３によって算出された積算特性値ΣＣを第１補正値を用いて補正する。具体的には、積算特性値ΣＣに第１補正値を乗じればよい。
そして、後続の処理においては、補正後の積算特性値ΣＣを用いてシステムＣＯＰの取得が行われる。
【００５５】
本実施形態によれば、室外機２に接続されている接続室内機５の合計容量が相違することによる積算特性値ΣＣの誤差を低減することができる。これにより、積算特性値ΣＣの算出精度を向上させることが可能となる。また、特性値として、熱交換能力を用いることができることも上述した第１実施形態と同様である。
【００５６】
〔第３実施形態〕
上述した第１実施形態に係る第２情報は、積算特性値ΣＣに対応するシステムＣＯＰを関連付けたものであった。本実施形態では、第２情報に代えて第６情報及び第７情報を用いることにより、積算特性値ΣＣ（すなわち、熱交換器の有効度の積算値）に対応するシステムＣＯＰを得る点で、上述した第１実施形態と異なる。
【００５７】
以下、第１実施形態と異なる点について主に説明する。
室外機２に接続される室内機の接続パターンのそれぞれについて、室内熱交換量（室内機能力）［Ｗ］と積算特性値ΣＣとの関係、インバータ消費電力と圧縮機消費電力の和（以下「機器消費電力」という。）［Ｗ］と積算特性値ΣＣとの関係を検討すると、図１１、図１２が得られる。
図１１は積算特性値ΣＣと室内熱交換量との関係において、各接続パターンの特性の近似曲線を示した図、図１２は積算特性値ΣＣと機器消費電力との関係において、各接続パターンの特性の近似曲線を示した図である。
図１１、図１２に示されるように、室内熱交換量及び機器消費電力については、積算特性値ΣＣと相関があることが確認された。
【００５８】
そこで、本実施形態に係るシステムＣＯＰの算出については、積算特性値ΣＣに相関のあるパラメータ、すなわち、図１１に示す室内熱交換量特性及び図１２に示す機器消費電力特性を用いて、積算特性値ΣＣに対応する室内熱交換量及び機器消費電力をそれぞれ取得し、取得したこれら値に対して室内外ファンモータの入力を加味することで、システムＣＯＰを算出する。
【００５９】
具体的には、図１１に示した室内熱交換量特性を第６情報として、図１２に示した機器消費電力特性を第７情報として記憶部２３に記憶しておく。
そして、システムＣＯＰ取得部２４は、積算特性値ΣＣに対応する室内熱交換量を第６情報から取得するとともに、積算特性値ΣＣに対応する機器消費電力を第７情報から取得する。そして、取得したこれら情報と、予め保有している室内ファンモータ入力および室内外ファンモータの消費電力とを、以下の演算式に用いて演算を行うことにより、暖房時のシステムＣＯＰ及び冷房時のシステムＣＯＰの少なくともいずれか一方を得る。
暖房時のシステムＣＯＰは、以下の（６）式で求められる。
【００６０】
システムＣＯＰ（暖房）
＝（室内熱交換量＋室内ファン入力）／（機器消費電力＋室内外ファンの消費電力）      （６）
【００６１】
冷房時のシステムＣＯＰは、以下の（７）式で求められる。
【００６２】
システムＣＯＰ（冷房）
＝（室内熱交換量−室内ファン入力）／（機器消費電力＋室内外ファンの消費電力）      （７）
【００６３】
このように、本実施形態に係る評価支援装置によれば、能力として室内ファンモータの入力を、消費電力として室内外のファンモータの消費電力を反映させることで、より精度の高いシステムＣＯＰを得ることができる。
【００６４】
〔第４実施形態〕
上述した第１実施形態における評価支援装置１０ａでは、ＳＥＥＲやＳＣＯＰの取得において、待機電力を考慮していなかった。しかしながら、ＳＥＥＲの待機電力に対する感度は予想以上に大きく、待機電力に応じてＳＥＥＲを補正することで、ＳＥＥＲの評価精度を向上させることができることがわかった。
本実施形態では、図１３に示すように、ＳＥＥＲ取得部２５によって得られたＳＥＥＲを待機電力に応じた第２補正値で補正するための構成として第８情報（図示略）及び第２補正部２９を備えることにより、ＳＥＥＲの評価精度を向上させる。ここで、第８情報は、記憶部２２に格納されている情報である。図１３は、本実施形態に係る評価支援装置１０ｃが備える機能を展開して示した機能ブロック図である。
【００６５】
具体的には、事前に試験やシミュレーションを行うことにより、接続パターン毎、あるいは、接続室内機毎に、ＳＥＥＲと待機電力ＰＴＯとの関係を求め、これらの近似特性を得る。そして、この近似特性を、基準となる特性（例えば、最もＳＥＥＲの値が大きくなる接続パターンのときの待機電力ＰＴＯ−ＳＥＥＲ特性）で除算することにより、待機電力ＰＴＯと第２補正値とが関連付けられた第８情報を得る。図１４に第８情報の一例を示す。また、記憶部２２には、各室内機の識別情報と待機電力とを関連付けた第９情報も格納されている。待機電力は、例えば、規定によって定められているものを用いてもよいし、室内ファン入力に応じた待機電力が室内機毎に設定されていてもよい。
【００６６】
第２補正部２９は、接続室内機５に関する待機電力を第９情報からそれぞれ取得し、取得した待機電力を積算することにより、システム全体の待機電力を算出する。そして、積算待機電力に対応する第２補正値を第８情報から取得し、取得した第２補正値を用いてＳＥＥＲを補正する。
【００６７】
また、同様にＳＣＯＰについてもＳＣＯＰと待機電力ＰＴＯとを関連付けた情報を記憶部２２に格納しておき、この情報を用いて補正を行うこととしてもよい。
【００６８】
以上説明したように、本実施形態に係る評価支援装置１０ｃによれば、ＳＥＥＲ取得部２５及びＳＣＯＰ取得部２６によって得られたＳＥＥＲ、ＳＣＯＰの値を待機電力に応じた第２補正値によって補正するので、ＳＥＥＲ及びＳＣＯＰの評価精度を高めることが可能となる。
【００６９】
本発明は、上述の実施形態のみに限定されるものではなく、発明の要旨を逸脱しない範囲において、例えば、上述した各実施形態を部分的または全体的に組み合わせる等して、種々変形実施が可能である。
【符号の説明】
【００７０】
１  空調システム
２  室外機
５  室内機（接続室内機）
１０ａ、１０ｂ、１０ｃ  空調システムの評価支援装置
２１  入力部
２２  記憶部
２３  積算部
２４  システムＣＯＰ取得部
２５  ＳＥＥＲ取得部
２６  ＳＣＯＰ取得部
２７  出力部
２８  第１補正部
２９  第２補正部
【図１】
2015117887.tif 000003
【図２】
2015117887.tif 000004
【図３】
2015117887.tif 000005
【図４】
2015117887.tif 000006
【図５】
2015117887.tif 000007
【図６】
2015117887.tif 000008
【図７】
2015117887.tif 000009
【図８】
2015117887.tif 000010
【図９】
2015117887.tif 000011
【図１０】
2015117887.tif 000012
【図１１】
2015117887.tif 000013
【図１２】
2015117887.tif 000014
【図１３】
2015117887.tif 000015
【図１４】
2015117887.tif 000016